(57)【要約】      （修正有）【課題】各種映像を歪みなくワイドスクリーンの映像装置に表示させ、スクリーンの出力画面をフル利用できる映像表示装置と映像表示方法を提供する。【解決手段】映像表示装置上に出力画面を備え、受信モジュール２と、演算モジュール３を有する。受信モジュール２は、少なくとも一つ以上の映像を受信し、該映像がアスペクト比を有する。演算モジュール３は、アスペクト比に従い、出力画面を分割し、複数の表示区域を生成する。そのうち、映像は複数の表示区域に表示される。【選択図】図１
2010186156.tif 000002
【特許請求の範囲】
【請求項１】
出力画面を有する映像表示装置において、
受信モジュールを有し、前記受信モジュールより、少なくとも一つ以上の映像を受信し、前記映像はアスペクト比を有し、および
演算モジュールを有し、前記演算モジュールは、前記アスペクト比に従い、前記出力画面を分割して、前記アスペクト比に相応する複数の表示区域を生成し、前記映像を少なくとも一つ以上の前記複数の表示区に表示させることを特徴とする映像表示装置。
【請求項２】
分割後の前記出力画面はさらに、機能表示区域を含め、前記機能表示区域はオンスクリーンディスプレー機能（Ｏｎ−Ｓｃｒｅｅｎ  Ｄｉｓｐｌａｙ，  ＯＳＤ）を表示することを特徴とする請求項１記載の映像表示装置。
【請求項３】
前記オンスクリーンディスプレー機能は、映像コントラスト、輝度、音量、時間、映像一時停止または逆戻りを含めることを特徴とする請求項２記載の映像表示装置。
【請求項４】
前記演算モジュールはさらに、数量選択パラメータと前記アスペクト比に従い、前記出力画面の分割を行い、対応する表示区域を生成することを特徴とする請求項１記載の映像表示装置。
【請求項５】
前記数量選択パラメータは、受信される前記映像の数量であることを特徴とする請求項４記載の映像表示装置。
【請求項６】
前記数量選択パラメータは、入力される前記表示区域の希望生成数量であることを特徴とする請求項４記載の映像表示装置。
【請求項７】
さらに選択モジュールを有し、前記選択モジュールは、選択指令を生成し、演算モジュールに伝送し、前記演算モジュールは、前記選択指令により、前記映像を少なくとも一つ以上の前記の複数の表示区域に表示させることを特徴とする請求項１記載の映像表示装置。
【請求項８】
前記映像表示装置は、テレビ、デスクトップパソコンまたは携帯式の電子装置であることを特徴とする請求項１記載の映像表示装置。
【請求項９】
前記映像表示装置は、液晶パネル、プラズマディプレイまたはダイオードディスプレイであることを特徴とする請求項１記載の映像表示装置。
【請求項１０】
前記出力画面と前記映像とのアスペクト比が異なることを特徴とする請求項１記載の映像表示装置。
【請求項１１】
前記映像のアスペクト比が４：３であることを特徴とする請求項１０記載の映像表示装置。
【請求項１２】
前記出力画面のアスペクト比が１６：９または１６：１０であることを特徴とする請求項１０記載の映像表示装置。
【請求項１３】
出力画面を有する映像表示装置に適用する映像表示方法において、以下のプロセスを含め、
受信モジュールを介して、少なくとも一つ以上の映像を受信し、前記映像はアスペクト比を有し、
複数の表示区域を生成し、演算モジュールを介して、前記アスペクト比に従い、前記出力画面を分割し、複数の表示区域を生成し、および
前記映像を少なくとも一つ以上の前記の複数の表示区域に表示させることを特徴とする映像表示方法。
【請求項１４】
分割後の前記出力画面はさらに、機能表示区域を含め、前記機能表示区域はオンスクリーンディスプレー機能（Ｏｎ−Ｓｃｒｅｅｎ  Ｄｉｓｐｌａｙ，  ＯＳＤ）を表示することを特徴とする請求項１３記載の映像表示方法。
【請求項１５】
前記オンスクリーンディスプレー機能は、映像コントラスト、輝度、音量、時間、映像一時停止または逆戻りを含めることを特徴とする請求項１４記載の映像表示方法。
【請求項１６】
前記演算モジュールはさらに、数量選択パラメータと前記アスペクト比に従い、対応する数量の表示区域を生成することを特徴とする請求項１３記載の映像表示方法。
【請求項１７】
前記数量選択パラメータは、受信される前記映像の数量であることを特徴とする請求項１６記載の映像表示方法。
【請求項１８】
前記数量選択パラメータは、入力される前記表示区域の希望生成数量であることを特徴とする請求項１６記載の映像表示方法。
【請求項１９】
さらに選択プロセスを含め、選択モジュールを有し、選択指令を生成し、前記演算モジュールに伝送し、前記演算モジュールは、前記選択指令により、前記映像を少なくとも一つ以上の前記の複数の表示区域に表示させることを特徴とする請求項１３記載の映像表示方法。
【請求項２０】
前記映像表示装置は、テレビ、デスクトップパソコンまたは携帯式の電子装置であることを特徴とする請求項１３記載の映像表示方法。
【請求項２１】
前記映像表示装置は、液晶パネル、プラズマディプレイまたはダイオードディスプレイであることを特徴とする請求項１３記載の映像表示方法。
【請求項２２】
前記出力画面と前記映像とのアスペクト比が異なることを特徴とする請求項１３記載の映像表示方法。
【請求項２３】
前記映像のアスペクト比が４：３であることを特徴とする請求項２２記載の映像表示方法。
【請求項２４】
前記出力画面のアスペクト比が１６：９または１６：１０であることを特徴とする請求項２２記載の映像表示方法。
【発明の詳細な説明】
【技術分野】
【０００１】
本発明は一種の映像表示装置および映像表示方法に係わり、特に一種の受信映像のアスペクト比に従い、複数の表示区域に分割する映像表示装置と映像方法に係わる。
【背景技術】
【０００２】
人々の高画質と高音質へのこだわりと、ＤＶＤ、ＨＤＴＶなど高品質映像サービスの普及に従い、１６：９または１６：１０のワイドスクリーン液晶表示装置（ｗｉｄｅｓｃｒｅｅｎ  ｄｉｓｐｌａｙ）やテレビ装置などが徐々に使用者に受け入れられていて、さらに一種の流行を引き起こしている。
【発明の概要】
【発明が解決しようとする課題】
【０００３】
しかしながら、現在の映像または動画像、例えば、テレビ映像のディメンション（ｄｉｍｅｎｓｉｏｎ）などのアスぺクト比は、従来のスクリーンのアスペクト比（現在テレビ映像のアスぺクト比が４：３）に等しい。使用者が映像または動画像をワイドスクリーンに再生しようとするとき、アスペクト比４：３で収録された映像をワイドスクリーンの出力画面にうまく表示することができない。このため、一つの方法としては、アスペクト比が４：３で収録された映像をフルスクリーン（ｆｕｌｌ−ｓｃｒｅｅｎ）の１６：９のアスペクト比に伸ばす状態で映像の再生を行う。この状態で、表示された映像が例えば、人物映像であるとき、スクリーン内の人物の画面は映像が伸張されたことでより低く太くに見えてしまう状態になる。もう一つの方法は、４：３のアスペクト比のままで映像を拡大して、この方法の出力画面の左右両脇に、黒帯が出る。そのため、画面の利用率を低下させるばかりでなく、映像鑑賞のときに不快感を与えてしまう。
【課題を解決するための手段】
【０００４】
前記した先行技術の課題に鑑みて、各種映像（特にアスペクト比が４：３の映像）を歪みなくワイドスクリーンの映像表示装置に表示させ、スクリーンの出力画面をフル利用できる、一種の映像表示装置と映像表示方法を提供することが本発明の主な目的である。
【０００５】
映像表示装置が分割後の出力画面はさらに、機能表示区域を含め、一種の映像表示装置と映像表示方法を提供することが本発明のもう一つの目的である。
【０００６】
前記目的を達成するため、本発明により一種の映像表示装置を提供する。主に受信モジュールと、演算モジュールを含める。受信モジュールは、少なくとも一つ以上の映像を受信し、該映像はアスペクト比を有する。演算モジュールは、アスペクト比に従い、出力画面を分割し、複数の表示区域を生成する。そのうち、映像は複数の表示区域に表示される。
【０００７】
前記目的を達成するため、本発明は以下のプロセスを含め、一種の映像表示方法を提供する。まず、少なくとも一つ以上の映像を受信し、該映像はアスペクト比を有する。引き続き、演算モジュールはアスペクト比に従って画面分割を行い、複数の表示区域を生成する。最後に、映像を表示区域に表示させる。
【発明の効果】
【０００８】
前記通り、本発明による映像表示装置とその方法は、以下の一つまたは複数の長所を有する。
イ、      各種のアスペクト比の映像を歪みなくワイドスクリーンの映像表示装置に表示できる。
ロ、      分割後の出力画面はさらに、機能表示区域を含め、表示画面のオンスクリーンディスプレー（Ｏｎ−Ｓｃｒｅｅｎ  Ｄｉｓｐｌａｙ，  ＯＳＤ）の各機能を表示できる。
【図面の簡単な説明】
【０００９】
【図１】本発明の映像表示装置の実施例のブロック図である。
【図２】本発明の映像表示装置の実施例の態様図である。
【図３Ａ】本発明の映像表示装置の各種分割方式の例示図である。
【図３Ｂ】本発明の映像表示装置の各種分割方式の例示図である。
【図３Ｃ】本発明の映像表示装置の各種分割方式の例示図である。
【図３Ｄ】本発明の映像表示装置の各種分割方式の例示図である。
【図３Ｅ】本発明の映像表示装置の各種分割方式の例示図である。
【図３Ｆ】本発明の映像表示装置の各種分割方式の例示図である。
【図３Ｇ】本発明の映像表示装置の各種分割方式の例示図である。
【図４】本発明の映像表示方法のプロセスの態様図である。
【発明を実施するための形態】
【実施例】
【００１０】
図１は、本発明による映像表示装置の実施例のブロック図を示す。この図において、映像表示装置１は受信モジュール２と、演算モジュール３と、選択モジュール５とを含める。受信モジュール２は少なくとも一つ以上の映像２１を受信し、該映像２１はアスペクト比２１１を有する。そのうち、受信モジュール２はＶＣＤプレーヤー（ＶＣＤ）、ＤＶＤプレーヤー（ＤＶＤ）、ビデオ・カセット・レコーダ（ＶＣＲ）や、監視カメラまたはテレビ放送局などの各種映像生成装置からの送信を受けられる、たとえば、３：２、４：３、５：４、１６：９または１６：１０など、各種アスペクト比２１１の映像２１を受信できる。
【００１１】
演算モジュール３は、受信した映像２１のアスペクト比２１１により、映像表示装置１の出力画面４を複数の表示区域４１に分割する。該複数の表示区域４１は、受信映像２１のアスペクト比２１１と同じであり、映像２１は複数の表示区域４１のうちから一つに表示できる。一例として、複数の映像２１を受信すると、複数の表示区域４１にそれぞれ表示できる。このほか、分割後の出力画面４は表示区域のほか、受信映像のアスペクト比と異なる区域とを含める。これら剰余区域は機能表示区域４２として利用することができる。
【００１２】
さらに、演算モジュール３はアスペクト比２１１のほか、さらに数量選択パラメータ３１に従い、相応する数量の表示区域を生成する。該数量選択パラメータ３１は装置にてあらかじめに分割数量を設定するか、または使用者より分割したい表示区域の数量を入力する。一例として、５つのテレビ番組のチャンネルを同時に鑑賞したいとき、たとえば５という数量を数量選択パラメータ３１の演算モジュール３に入力する。該数量選択パラメータ３１は受信モジュール２による映像の受信数量により変更できる。たとえば、受信モジュール２より５つのモニターから送り出された映像２１を受信するとき、該数量選択パラメータ３１を５とする。その後、演算モジュール３は数量選択パラメータ３１に従い、出力画面４を５つのアスペクト比２１１と相応する表示区域を分割できる。
【００１３】
選択モジュール５は演算モジュール３にて選択指令を生成し、演算モジュール３はこの選択指令に従い、映像２１を複数の表示区域４１のうちから一つに表示することを選択できる。該選択モジュール５は使用者より入力された指令に従い、選択指令を生成し、鑑賞中の映像２１をより大きい表示区域に表示させるか、または選択モジュール５よりさらに映像２１の内容変化の有無の判断を行い、映像２１の内容変化があると、選択指令を生成し、変化中の映像２１をより大きい表示区域に表示させる。
【００１４】
本発明の特徴は、受信モジュール２の受信映像２１と出力画面４とのアスペクト比２１１が異なるとき、たとえば、受信映像２１が通常のテレビ映像のアスペクト比２１１が４：３であり、前記映像２１をワイドスクリーンの出力画面４に表示させると、該ワイドスクリーンの出力画面４のアスペクト比２１１が１６：９の場合、本発明の演算モジュール３により、１６：９の出力画面４を４：３のアスペクト比２１１に分割するか、または複数の表示区域４１を等比例に拡大または縮小することにより、受信映像２１と出力画面４とのアスペクト比２１１が違いを起こらないように、受信映像２１のアスペクト比２１１の改変により、表示映像２１の歪みを避けられる。
【００１５】
図２は、本発明による映像表示装置の実施態様図を示す。この図において、出力画面４は演算モジュール３によって分割された後、受信映像に相応する表示区域４１のほか、出力画面４はアスペクト比に従って分割できない剰余区域が残されている。本発明はこの剰余区域を機能表示区域４２として、たとえばオンスクリーンディスプレー（Ｏｎ−Ｓｃｒｅｅｎ  Ｄｉｓｐｌａｙ，  ＯＳＤ）の各操作機能、例えば、映像コントラスト、輝度、音量および時間などのパラメータ値を図面化させ、あるいは時間軸を図面化させることによって、使用者が収録された映像を鑑賞する同時に、映像の現時点の再生時間情報を知ることができ、映像の逆戻りまたは早送りなどの機能操作に便利性を提供する。さらに、機能表示区域４２にタッチパネルを設けて各種映像操作の機能キーを映像表示装置１に設けても良い、例えば、映像一時停止キーを設けてもよい。前記の目的は、なるべく出力画面４をフル利用できるため、出力画面４に黒帯が出てしまうことなく、出力画面４を全面利用することを目的とする。そして、出力画面４が表示区域４１に全部分割することができて、剰余区域が残されていない場合は、表示区域４１を機能表示区域４２に利用することもできる。
【００１６】
図３Ａは、アスペクト比が１６：１０の出力画面４上に５つのアスペクト比が４：３の表示区域の分割方式を示す。そのうち、ａ１とａ２の表示区域のアスペクト比は８：６＝４：３である。ｂ１ないしｂ３の表示区域のアスペクト比は、１６／３：４＝４：３である。
【００１７】
図３Ｂは、１６：１０の出力画面４上に６つの４：３の表示区域の分割方式を示す。そのうち、ｃ１の表示区域のアスペクト比は、４０／３：１０＝４：３である。ｄ１ないしｄ５の表示区域のアスペクト比は、８／３：２＝４：３である。
【００１８】
図３Ｃは、１６：１０の出力画面４上に８つの４：３の表示区域の分割方式を示す。そのうち、ａ１とａ２の表示区域のアスペクト比は、８：６＝４：３である。ｂ１ないしｂ２の表示区域のアスペクト比は、１６／３：４＝４：３である。ｄ１ないしｄ４の表示区域のアスペクト比は、８／３：２＝４：３である。
【００１９】
図３Ｄは、１６：１０の出力画面４上に９つの４：３の表示区域の分割方式を示す。そのうち、ｅ１の表示区域のアスペクト比は、３２／３：８＝４：３である。ｆ１ないしｆ６の表示区域のアスペクト比は、１６／６：２＝４：３である。ｂ１ないしｂ２の表示区域のアスペクト比は、１６／３：４＝４：３である。
【００２０】
図３Ｅは、１６：１０の出力画面４上に１２つの４：３の表示区域の分割方式を示す。そのうち、ｂ１ないしｂ６はそれぞれ、１６／３：４＝４：３であり、ｆ１ないしｆ６はそれぞれ、１６／６：２＝４：３である。
【００２１】
図３Ｆは、１６：１０の出力画面４上に１５つの４：３の表示区域の分割方式を示す。そのうち、ｅ１は、３２／３：８＝４：３であり、ｆ１ないしｆ１４はそれぞれ、１６／６：２＝４：３である。
【００２２】
図３Ｇは、１６：１０の出力画面４上に３０つの４：３の表示区域の分割方式を示す。そのうち、ｆ１ないしｆ３０はそれぞれ、１６／６：２＝４：３である。図３Ａないし図３Ｇに示す各種出力画面４の分割方式は、実施例を示すものであって、本発明による請求範囲を制限するものではない。
【００２３】
図４は、本発明による映像表示方法のプロセス態様図を示す。図４を参照し、出力画面を有する表示装置に応用した映像表示方法は、以下のプロセスを含める。
【００２４】
プロセスＳ４０１：受信モジュールにより、少なくとも一つ以上の映像を受信し、該映像はアスペクト比を有する。
【００２５】
プロセスＳ４０２：複数の表示区域を生成し、演算モジュールがアスペクト比に従い、出力画面を分割し、複数の表示区域を生成する。
【００２６】
プロセスＳ４０３：映像を少なくとも一つ以上の複数の表示区域に表示させる。
【００２７】
実務応用のときは、液晶パネルを映像表示装置に例示すると、該液晶パネル上の出力画面のアスペクト比は、たとえば、１６：１０（ワイドスクリーン）のとき、前記プロセスに従い、まず、プロセスＳ４０１にて、４：３のアスペクト比の外部入力映像、たとえば、テレビ信号を受信する。これから、プロセスＳ４０２にて、出力画面は演算モジュールにより、４：３のアスペクト比またはその倍数に従って分割を行い、出力画面に複数の４：３のアスペクト比の表示区域を表示させ、かつ分割後の剰余区域は、機能表示区域として、オンスクリーンディスプレー機能の映像コントラスト、輝度、音量または時間などのパラメータ値の各種操作機能アイコンを表示させるか、あるいはタッチパネルを設けて、映像表示装置の各種操作機能キーを表示する。プロセスＳ４０２の前には、さらに、数量選択パラメータと、選択指令を加えても良い。数量選択パラメータは、分割しようとする表示区域の数量を記憶している。演算モジュール３は、その数量選択パラメータとアスペクト比より、表示区域に相応する数量、かつアスペクト比と符合する表示区域を生成することができる。選択指令は、選択モジュール５より生成される。演算モジュール３は、選択指令より、これから受信する受信映像を複数の表示区域の位置を選択することができる。例えば、使用者が鑑賞中の映像または内容変化中の映像（例えば、監視カメラの映像）をより大きい表示区域に表示させる。最後に、プロセスＳ４０３にて、アスペクト比が４：３のテレビ信号を少なくとも一つ以上の表示区域に表示させるか、または選択指令により、映像を特定の表示区域に表示することができる。
【００２８】
前記説明の通り、本発明による映像表示装置とその方法は、受信映像のアスペクト比に従い、出力画面（特に出力画面と受信映像とのアスペクト比が異なる場合）を複数の受信映像に適したアスペクト比またはその倍数の表示区域などを適切に分割できるばかりでなく、出力画面は分割された後に剰余区域が残るときに、機能表示区域として利用する機能がある。映像を複数の表示区域に表示させることにより、どのようなアスペクト比の表示装置（特にワイドスクリーン）であっても、入力映像の完全性が維持でき、かつフルスクリーンの出力画面を十分に利用することができる。
【００２９】
以上は実施例の列挙であり、本発明になんらの制限を加わるものではない。本発明の精神と範疇を逸脱しない限り、その等効果修正又は変更は、なお、本明細書の特許請求範囲に含まれるものとする。
【符号の説明】
【００３０】
１                 映像表示装置
２                 受信モジュール
２１               映像
２１１             アスペクト比
３                 演算モジュール
３１               数量選択パラメータ
４                 出力画面
４１               表示区域、複数の表示区域
４２               機能表示区域
５                 選択モジュール
Ｓ４０１~Ｓ４０３  プロセスフロー
【図１】
2010186156.tif 000003
【図２】
2010186156.tif 000004
【図３Ａ】
2010186156.tif 000005
【図３Ｂ】
2010186156.tif 000006
【図３Ｃ】
2010186156.tif 000007
【図３Ｄ】
2010186156.tif 000008
【図３Ｅ】
2010186156.tif 000009
【図３Ｆ】
2010186156.tif 000010
【図３Ｇ】
2010186156.tif 000011
【図４】
2010186156.tif 000012